(57)【特許請求の範囲】
【請求項１】
第1の偏光状態を有する第1の画像と第2の偏光状態を有する第2の画像とを重ねて投影する構成を有し、
前記第2の画像は所定の情報を表示するためのモノクロ画像またはカラー画像であり、
前記第1の画像は、前記第２の画像の特定の部分だけを隠すため、前記第2の画像の前記特定の部分だけに重ねる白表示であり、
前記第１の画像と前記第２の画像とが重なって投影された表示は、肉眼で見ると白表示であることを特徴とする表示装置。
【請求項２】
第1の偏光状態を有する第1の画像と時分割表示されかつ第2の偏光状態を有する第2の画像とを重ねて投影する構成を有し、
前記第2の画像は所定の情報を表示するためのモノクロ画像またはカラー画像であり、
前記第1の画像は、前記第２の画像の特定の部分だけを隠すため、前記第2の画像の前記特定の部分だけに重ねる白表示であり、
前記第１の画像と前記第２の画像とが重なって投影された表示は、肉眼で見ると白表示であることを特徴とする表示装置。
【請求項３】
第1の偏光状態を有する第1の画像と第2の偏光状態を有する第2の画像とが重なって投影されており、
前記第2の画像は所定の情報を表示するためのモノクロ画像またはカラー画像であり、
前記第1の画像は、前記第２の画像の特定の部分だけを隠すため、前記第2の画像の前記特定の部分だけに重ねる白表示であり、
前記第１の画像と前記第２の画像とが重なって投影された表示は、肉眼で見ると白表示であり、
前記第１の画像と前記第２の画像とが重なって投影された表示は、前記第2の偏光状態を選択的に透過する光学的なフィルターでもって見ると、選択的に前記第2の画像を見ることができることを特徴とする表示装置。
【請求項４】
請求項２において、前記時分割表示された前記第２の画像でもって複数の異なる画像が構成されていることを特徴とする表示装置。
【請求項５】
請求項２または４において、前記時分割表示された前記第２の画像でもって立体画像が構成されていることを特徴とする表示装置。
【請求項６】
請求項２、４または５において、前記第２の画像の前記時分割表示に合わせて、前記第１の画像の前記第１の偏光状態が変化することを特徴とする表示装置。
【請求項７】
第1の偏光状態を有する第1の画像と時分割表示されかつ第2の偏光状態を有する第2の画像とを重ねて投影する構成を有し、
前記第2の画像は所定の情報を表示するためのモノクロ画像またはカラー画像であり、
前記第1の画像は、前記第２の画像の全面を隠すため、前記第2の画像の全面に重ねる白表示であり、
前記第１の画像と前記第２の画像とが重なって投影された表示は、肉眼で見ると全面が白表示であり、
前記時分割表示された前記第２の画像でもって立体画像が構成されていることを特徴とする表示装置。
【請求項８】
第1の偏光状態を有する第1の画像と時分割表示されかつ第2の偏光状態を有する第2の画像とを重ねて投影する構成を有し、
前記第2の画像は所定の情報を表示するためのモノクロ画像またはカラー画像であり、
前記第1の画像は、前記第２の画像の全面を隠すため、前記第2の画像の全面に重ねる白表示であり、
前記第１の画像と前記第２の画像とが重なって投影された表示は、肉眼で見ると全面が白表示であり、
前記第２の画像の前記時分割表示に合わせて、前記第１の画像の前記第１の偏光状態が変化することを特徴とする表示装置。
【請求項９】
第1の偏光状態を有する第1の画像と時分割表示されかつ第2の偏光状態を有する第2の画像とを重ねて投影する構成を有し、
前記第2の画像は所定の情報を表示するためのモノクロ画像またはカラー画像であり、
前記第1の画像は、前記第２の画像の全面を隠すため、前記第2の画像の全面に重ねる白表示であり、
前記第１の画像と前記第２の画像とが重なって投影された表示は、肉眼で見ると全面が白表示であり、
前記時分割表示された前記第２の画像でもって立体画像が構成されており、
前記第２の画像の前記時分割表示に合わせて、前記第１の画像の前記第１の偏光状態が変化することを特徴とする表示装置。
【請求項１０】
請求項1乃至請求項９のいずれか一項において、前記第1の偏光状態は右回り円偏光または左回り円偏光であり、前記第2の偏光状態は左回り円偏光または右回り円偏光であり、前記第１の偏光状態と前記第２の偏光状態とはそれぞれ異なる旋回方向の円偏光であることを特徴とする表示装置。
【請求項１１】
請求項1乃至請求項９のいずれか一項において、前記第1の偏光状態は所定の方向を有した直線偏光であり、前記第2の偏光状態は前記第1の偏光状態の直線偏光とは90°異なる方向を有する直線偏光であることを特徴とする表示装置。
【請求項１２】
複数の画像を重ねてスクリーンに投影し表示する表示装置において、
第1の偏光状態を有し、モノクロ画像またはカラー画像である互いに異なる第1及び第2の画像を時分割で投影する第1の液晶プロジェクターと、
前記第1の偏光状態とは異なる第2の偏光状態を有する白画像を投影する第2の液晶プロジェクターと、
第1の観測者に割り当てられた第1の眼鏡と、
第2の観測者に割り当てられた第2の眼鏡と、
前記第1の眼鏡に設けられ、前記第1の画像を選択的に透過させるように前記第1の液晶プロジェクターの時分割表示動作に同期して開閉する第1の液晶シャッターと、
前記第2の眼鏡に設けられ、前記第2の画像を選択的に透過させるように前記第1の液晶プロジェクターの時分割表示動作に同期して開閉する第2の液晶シャッターと、
前記第1の眼鏡に設けられ、前記第1の偏光状態の画像を透過させる第1の光学フィルターと、
前記第2の眼鏡に設けられ、前記第1の偏光状態の画像を透過させる第2の光学フィルターとを有し、
前記白画像は、前記第１及び前記第２の画像を隠すため、前記第１及び前記第２の画像に重なって投影されており、
前記第1の眼鏡を装着した前記第1の観測者には、前記第1の画像を選択的に観測可能にし、前記第2の眼鏡を装着した前記第2の観測者には、前記第2の画像を選択的に観測可能にし、前記第１の眼鏡及び前記第２の眼鏡を装着していない他の観測者には、前記白画像が観測されるように構成され、
前記第1及び前記第2の液晶プロジェクターは、スクリーン表面に画像を結像させ、観測者がスクリーン裏面から前記画像を観測するように配置されていることを特徴とする表示装置。
【請求項１３】
請求項１２において、さらに、前記第1の液晶プロジェクターの前面に設けられた第1の偏光板と、
前記第1の偏光板の前面に設けられた第1の1/4波長板と、
前記第2の液晶プロジェクターの前面に設けられた第2の偏光板と、
前記第2の偏光板の前面に設けられた第2の1/4波長板と、
前記第1の液晶プロジェクター、前記第1及び前記第2の液晶シャッターに接続され、前記第1の液晶プロジェクターの時分割表示動作に同期して、前記第1及び前記第2の液晶シャッターを交互に開閉させる制御手段とを有することを特徴とする表示装置。
【請求項１４】
複数の画像を重ねてスクリーンに投影し表示する表示装置において、
第1の偏光状態を有し、右目用と左目用のモノクロ画像またはカラー画像を時分割で投影する第1の液晶プロジェクターと、
前記第1の偏光状態とは異なる第2の偏光状態を有する白画像を投影する第2の液晶プロジェクターと、
観測者に割り当てられた眼鏡と、
前記眼鏡の右目部分に設けられ、前記右目用のモノクロ画像またはカラー画像を選択的に透過させるように前記第1の液晶プロジェクターの時分割表示動作に同期して開閉する第1の液晶シャッターと、
前記眼鏡の左目部分に設けられ、前記左目用のモノクロ画像またはカラー画像を選択的に透過させるように前記第1の液晶プロジェクターの時分割表示動作に同期して開閉する第2の液晶シャッターと、
前記眼鏡の右目部分に設けられ、前記第1の偏光状態の画像を透過させる第1の光学フィルターと、
前記眼鏡の左目部分に設けられ、前記第1の偏光状態の画像を選択的に透過させる第2の光学フィルターとを有し、
前記白画像は、前記右眼用及び前記左目用のモノクロ画像またはカラー画像を隠すため、前記右眼用及び前記左目用のモノクロ画像またはカラー画像に重なって投影されており、
前記眼鏡を装着した観測者には、前記右眼用及び前記左目用のモノクロ画像またはカラー画像からなる立体画像を選択的に観測可能にし、前記眼鏡を装着していない他の観測者には、前記白画像が観測されるように構成され、
前記第1及び前記第2の液晶プロジェクターは、スクリーン表面に画像を結像させ、観測者がスクリーン裏面から前記画像を観測するように配置されていることを特徴とする表示装置。
【請求項１５】
請求項１４において、さらに、前記第1の液晶プロジェクターの前面に設けられた第1の偏光板と、
前記第1の偏光板の前面に設けられた第1の1/4波長板と、
前記第2の液晶プロジェクターの前面に設けられた第2の偏光板と、
前記第2の偏光板の前面に設けられた第2の1/4波長板と、
前記第1の液晶プロジェクター、前記第1及び前記第2の液晶シャッターに接続され、前記第1の液晶プロジェクターの時分割表示動作に同期して、前記第1及び前記第2の液晶シャッターを交互に開閉させる制御手段とを有することを特徴とする表示装置。
【発明の詳細な説明】
【０００１】
【産業上の利用分野】
本明細書で開示する発明は、異なる画像を同時に同じ画面上に表示し、それを複数の異なる観察者が独立に見ることができる表示装置に関する。
【０００２】
【従来の技術】
液晶表示装置に代表される表示装置が知られている。このような表示装置においては、表示された表示を複数の観察者が同時に見るというのが普通である。
【０００３】
しかし、公の施設における業務用の表示であるとか、教育用の画像を表示する場合には、特定の観察者だけに選択的に特定の情報を伝えたい場合がある。このような目的に対しては、従来の表示装置を利用することはできない。
【０００４】
【発明が解決しようとする課題】
本明細書で開示する発明は、同一の画面上に複数の表示を同時に行い、それを複数の異なる観察者でもって個別に見ることができる構成を提供することを課題とする。
【０００５】
【課題を解決するための手段】
本明細書で開示する発明の一つは、
第１の偏光状態を有する第１の画像と第２の偏光状態を有する第２の画像とを重ねて投影する構成を有し、
前記第１の画像は全面が白表示であることを特徴とする。
【０００６】
他の発明の構成は、
第１の偏光状態を有する第１の画像と第２の偏光状態を有する第２の画像とを重ねて投影する構成を有し、
前記第２の画像は所定の情報を表示するための画像であり、
前記第１の画像は前記第２の画像の所定の領域または全面に重ねる白表示が表示されていることを特徴とする。
【０００７】
他の発明の構成は、
第１の偏光状態を有する第１の画像と時分割表示されかつ第２の偏光状態を有する第２の画像とを重ねて投影する構成を有し、
前記第２の画像は所定の情報を表示するための画像であり、
前記第１の画像は前記第２の画像の所定の領域または全面に重ねる白表示が表示されていることを特徴とする。
【０００８】
上記構成において、第１の偏光状態は右回り円偏光または左回り円偏光であり、第２の偏光状態は左回り円偏光または右回り円偏光とすることができる。
【０００９】
また、上記構成において第１の偏光状態は所定に方向を有した直線偏光とし、第２の偏光状態は前記第１の直線偏光とは９０°異なる角度を有したものとすることができる。
【００１０】
また、第１の偏光状態と第２の偏光状態とを、異なる旋回方向を有する円偏光とし、その旋回方向が時分割表示に合わせて交互に逆転させることによって、第１の画像の白表示が第２の画像の選択的な観察に際して障害にならない構成とすることができる。
【００１１】
他の発明の構成は、
第１の偏光状態を有する第１の画像と第２の偏光状態を有する第２の画像とが重ねて投影されており、
前記第２の偏光状態を選択的に透過する光学的なフィルターでもって選択的に第２の画像を見る状態において、前記第１の画像は全面が白表示となっていることを特徴とする。
【００１２】
他の発明の構成は、
第１の偏光状態を有する第１の画像と第２の偏光状態を有する第２の画像とが重ねて投影されており、
前記第２の偏光状態を選択的に透過する光学的なフィルターでもって選択的に第２の画像を見る状態において、前記第１の画像の第３者に対して前記第２の画像の隠蔽したい部分に対応する画像部分が白表示となっていることを特徴とする。
【００１３】
また、他の発明の構成は、
複数の画像を重ねてスクリーンに投影し表示する表示装置において、
第１の偏光状態を有する互いに異なる第１及び第２の画像を時分割で投影する第１の液晶プロジェクターと、
第１の偏光状態とは異なる第２の偏光状態を有する白画像を投影する第２の液晶プロジェクターと、
第１の観測者に割り当てられた第１の眼鏡と、
第２の観測者に割り当てられた第２の眼鏡と、
第１の眼鏡に設けられ、第１の画像を選択的に透過させるように第１の液晶プロジェクターの時分割表示動作に同期して開閉する第１の液晶シャッターと、
第２の眼鏡に設けられ、第２の画像を選択的に透過させるように第１の液晶プロジェクターの時分割表示動作に同期して開閉する第２の液晶シャッターと、
第１の眼鏡に設けられ、第１の偏光状態の画像を透過させる第１の光学フィルターと、
第２の眼鏡に設けられ、第１の偏光状態の画像を透過させる第２の光学フィルターとを有し、
第１の眼鏡を装着した第１の観測者には、第１の画像を選択的に観測可能にし、第２の眼鏡を装着した第２の観測者には、第２の画像を選択的に観測可能にし、眼鏡を装着していない他の観測者には、白画像が観測されるように構成したことを特徴とする。
【００１４】
さらに、他の発明の構成は、
複数の画像を重ねてスクリーンに投影して表示する表示装置において、
第１の偏光状態を有する右目用と左目用の画像を時分割で投影する第１の液晶プロジェクターと、
第１の偏光状態とは異なる第２の偏光状態を有する白画像を投影する第２の液晶プロジェクターと、
観測者に割り当てられた眼鏡と、
眼鏡の右目部分に設けられ、右目用の画像を選択的に透過させるように第１の液晶プロジェクターの時分割表示動作に同期して開閉する第１の液晶シャッタと、
眼鏡の左目部分に設けられ、左目用の画像を選択的に透過させるように第１の液晶プロジェクターの時分割表示動作に同期して開閉する第２の液晶シャッタと、
眼鏡の右目部分に設けられ、第１の偏光状態の画像を透過させる第１の光学フィルターと、
眼鏡の左目部分に設けられ、第１の偏光状態の画像を選択的に透過させる第２の光学フィルターとを有し、
眼鏡を装着した観測者には、立体画像を選択的に観測可能にし、眼鏡を装着していない他の観測者には、白画像が観測されるように構成したことを特徴とする。
【００１５】
【作用】
例えば図１に示すように、液晶プロジェクター１０１から投影される画像と液晶プロジェクター１０２から投影される画像をスクリーン１０７に重ねて投影する場合を考える。ここで液晶プロジェクター１０１から投影される画像には、偏光板１０３と１／４波長板１０５を用いて右回り円偏光を与える。また液晶プロジェクター１０２から投影される画像には、偏光板１０８と偏光各を９０°回転させる液晶セルを用いたπセル１０４と、１／４波長板１０６によって、左回り円偏光を与える。
【００１６】
そしてスクリーン（画面）１０７上には、液晶プロジェクター１０１から投影される右回り円偏光の画像と液晶プロジェクター１０２から投影される左回り円偏光の画像とが重ねて投影される。
【００１７】
ここで、図２に示すように液晶プロジェクター１０１から投影されるＡｎ  の画像を全面白の表示とする。そして、液晶プロジェクター１０２からは特定の情報を含んだ画像Ｂｎ  を投影させる。
【００１８】
この全面白のＡｎ  の画像と所定の画像内容が表示されたＢｎ  の画像とが重なりあった表示を肉眼で見ると、光学的な性質から全面が白表示に見える。即ち、普通にスクリーン１０７を見てもそこには全面が白の表示が見えるだけである。
【００１９】
ここで、画像Ｂｎ  を見たい人は、プロジェクター１０２からの左回り円偏光を選択的に透過する光学フィルターを備えた眼鏡を掛けてスクリーン１０７を投影側と反対側から見る。（スクリーン１０７を投影側と反対側から見た場合、旋回方向が逆になることに注意する必要がある）
【００２０】
このような表示は、画像Ｂｎ  を選択的に見たい人だけに見せることができる。そして特に画像Ｂｎ  を見たく無い人や見る必要の無い人には、不要な画像を見せることがないものとすることができる。
【００２１】
また画像Ａnを部分的なものとすることにより、画像Ｂnの特定の部分だけを選択的に不特定多数の観察人から隠すことができる。
【００２２】
【実施例】
〔実施例１〕
図１に本実施例の概要を示す。図１に示すのは、液晶プロジェクター１０１と１０２から投影される画像のそれぞれに異なる旋回方向の円偏光を付与する構成を有している。
【００２３】
まず液晶プロジェクター１０１と１０２は同じものを用い、その投影光の偏光方向は同じものとする。また投影される画像はモノクロでもカラーでもよい。ここで、液晶プロジェクター１０１からスクリーン１０７に投影される画像は、偏光板１０３と１／４波長板１０５とによって右回り円偏光が付与される。
【００２４】
そして液晶プロジェクター１０２からスクリーン１０７に投影される画像は、偏光板１０８と偏光方向を９０°回転させる液晶セル１０４、さらに１／４波長板１０６によって左回り円偏光が付与される。
【００２５】
ここで、図２に示すように液晶プロジェクター１０１から投影される画像は全面白の表示とする。そして液晶プロジェクター１０２から投影される画像は所定の内容を有したものとする。
【００２６】
ここで、特定の人だけがプロジェクター１０１から投影される右回り円偏光を選択的に透過するフィルターを配置した眼鏡を掛けてスクリーン１０７を投影側と反対側から見る。
【００２７】
上記の眼鏡を掛けた人には、右回り円偏光を有した画像Ａｎ  を見ることができる。これは、この眼鏡を左回り円偏光を有した全面白の画像が透過できないからである。
【００２８】
また上記眼鏡を掛けない人には、スクリーン１０７は全面白の表示であり、特に問題とはならない。即ち、不要な画像を見ることがない状態とすることができる。
【００２９】
本実施例においては、右回り円偏光と左回り円偏光とを組み合わせた構成を示した。しかし、異なる偏光状態の組み合わせとして、特定の方向の直線偏光とそれと９０°異なる方向への直線偏光を利用することもできる。この場合、偏光付与手段や選択手段を簡略化できる。
【００３０】
また、Ｂｎ  で示される白の画像は全面でなくても、Ａｎ  の画像が表示されている部分だけであるとか、画像Ａｎ  の特定の部分だけに対応させて白のＢｎ  の画像を重ねるのでもよい。この場合は、画像Ａｎ  の特定の部分だけを隠すことができる。
【００３１】
〔実施例２〕
本実施例は、時分割表示を利用して異なるＡという画像とＢという画像を同時に同一画面上に表示し、それぞれを個別に見ることができると同時に普通にその画面を見る分には単に全面白表示が行われている状態を有する構成に関する。
【００３２】
図３の本実施例の概略の構成を示す。図３に示す構成においては、液晶プロジェクター３０１と３０２を用いている。３０３で示されるのは偏光板であり、３０４はπセルであり、３０５は１／４波長板である。また３１８で示されるのは偏光板であり、３１９はπセルであり、３２０は１／４波長板である。
【００３３】
本実施例においては、πセル３０４と３１９とが逆動作する構成とする。即ち、πセル３０４がＯＮ状態においてはπセル３１９がＯＦＦ、逆にπセル３０４がＯＦＦ状態においてはπセル３１９がＯＮ動作になるように設定する。
【００３４】
３０６はπセル３０４と３１９の制御、さらにπセルの動作に同期して眼鏡３０７の液晶シャッター３０９と３１１、さらに眼鏡３０８の液晶シャッター３１３と３１５を開閉させるための制御装置である。またスクリーン３１７にプロジェクター３０１と３０２の画像が重ねて投影される。
【００３５】
液晶プロジェクター３０１から投影される画像は、偏光板３０３とπセル３０４と１／４波長板３０５を透過することにより、円偏光となる。ここで、πセル３０４がＯＮ動作時には右回り円偏光、πセル３０４がＯＦＦ動作時には左回り円偏光が不要されるように設定する。
【００３６】
３１０と３１２と３１４と３１６は特定の円偏光状態を透過させる光学フィルターである。ここでは、３１０と３１２が外部からの光の右回り円偏光を選択的に透過させる機能を有している。また３１４と３１６が外部からの光の左回り円偏光を選択的に透過させる機能を有している。
【００３７】
図４にπセル３０４を透過する画像と各液晶シャッターの動作タイミングの関係を示す。なお本実施例においては、液晶プロジェクター３０１から投影される画像を時分割状態として、ＡとＢの２つの画像としている。
【００３８】
図４に示すように液晶プロジェクター３０２からは全面真白な表示を行わす。図４に示すような動作を行わすと、眼鏡３０７を掛けた人には、右回り円偏光を有したＡｎ  の画像が選択的に見える。また眼鏡３０８を掛けた人には、左回り円偏光を有したＢｎ  の画像が選択的に見える。
【００３９】
また全面白の表示はＡとＢの画像の偏光の旋回方向とは逆であるので、それぞれの眼鏡を掛けた人にが認識する画像にはは何ら影響を与えない。
【００４０】
また眼鏡を掛けない人には、プロジェクター３０２から投影される全面白の画像によってプロジェクター３０１からの画像がマスクされてしまうので、全面白の表示が見えるだけとなる。
【００４１】
本実施例の構成を採用すると、特殊な眼鏡を掛けることによって、Ａという画像とＢという画像とをそれぞれ選択的に見ることができ、さらに特殊な眼鏡を掛けない人には特に画像が見えない構成とすることができる。
【００４２】
〔実施例３〕
本実施例は、特定の人に立体画像を観察させることができ、他の人には全面白表示の画面が見えるようにすることを特徴とする。
【００４３】
図５に本実施例の概略の構成を示す。図５に示す構成は、液晶プロジェクター５０１と５０２から投影される画像がスクリーン５１１で重ねられて表示され、その表示を普通に見た場合は白画面に見え、特殊な眼鏡を掛けて見た場合には立体画像が見える構成に関する。
【００４４】
図５において、液晶プロジェクター５０１からは図６に示すような時分割された右目用の画像Ａと左目の画像Ｂとがスクリーン５１１に向けて表示される。この画像は、偏光板５０３とπセル５０４と１／４波長板５０５を透過して、スクリーン５１１に投影される。
【００４５】
πセル５０４は図６に示す時分割表示に合わせて制御装置５０６によって、ＯＮとＯＦＦが制御される。πセルがＯＦＦの場合は透過する光がそのまま透過され、ＯＮの場合は透過する光の垂直偏光成分が９０°回転する。
【００４６】
また偏光板５１２とπセル５１３と１／４波長板５１４によって、液晶プロジェクター５０２から投影される画像に円偏光が付与される。ここで、πセル５０４と５１３は互いに逆の動作を行う構成となっている。即ち、πセル５０４がＯＮならπセル５１３がＯＦＦ、πセル５０４がＯＦＦならπセル５１３がＯＮとなるように動作する。この動作は制御回路５０６によって制御される。
【００４７】
また制御装置５０６によって、液晶シャッター５０７と５０８が同時にその開閉が制御される。５０９と５１０はそれぞれ異なる旋回方向を有する光を透過させる光学フィルターである。ここでは、光学フィルター５０９において図６のＡの画像が選択的に透過され、光学フィルター５１０において図６のＢの画像が選択的に透過されるようにその光学特性が決定される。
【００４８】
図６にその動作タイミングチャートを示すように、眼鏡５００を掛けた人には、その右目にＡの画像が選択的に入り、その左目にＢの画像が選択的に入る。従って、眼鏡５００を掛けた人にはスクリーン５１１に立体画像が写っているように見える。
【００４９】
また、液晶プロジェクター５０２から投影される全面白の画像は片方の目に到達する画像が有している円偏光の状態とは旋回方向が逆なので、ほぼ完全にカッットされる。即ち、立体画像を見る人にとっては、全面白の画像の影響はほとんどないものとすることができる。
【００５０】
また普通の状態でスクリーン５１１を見る人には、真白な画面が見えるだけである。即ち、特定の人だけに立体画像をみさせることができる。また他の不特定多数の人には真白な特になにも表示されない画面が見えるだけとなる。
【００５１】
〔実施例４〕
本実施例は、実施例２と同様に、時分割表示を利用して異なるＡという画像とＢという画像を同時に同一画面上に表示し、それぞれを個別に見ることができると同時に普通にその画面を見る分には単に全面白表示が行われている状態を有する構成に関する。
【００５２】
図７の本実施例の概略の構成を示す。図７に示す構成においては、液晶プロジェクター７０１と７０２を用いている。７０３で示されるのは偏光板であり、７０５は１／４波長板である。また７１８で示されるのは偏光板であり、７２０は１／４波長板である。
【００５３】
７０６は液晶プロジェクター７０１の画像表示動作に同期して眼鏡７０７の液晶シャッター７０９と７１１、さらに眼鏡７０８の液晶シャッター７１３と７１５を開閉させるための制御装置である。またスクリーン７１７にプロジェクター７０１と７０２の画像が重ねて投影される。
【００５４】
液晶プロジェクター７０１から投影される画像は、偏光板７０３と１／４波長板７０５を透過することにより、円偏光となる。
【００５５】
７１０と７１２、７１４と７１６は特定の円偏光状態を透過させる光学フィルターである。ここでは、７１０と７１２は外部からの光の左回り円偏光を選択的に透過させる機能を有している。また７１４と７１６も同様に外部からの光の左回り円偏光を選択的に透過させる機能を有している。
【００５６】
図８に投影画像と各液晶シャッターの動作タイミングの関係を示す。なお本実施例においては、液晶プロジェクター７０１から投影される画像を時分割状態として、ＡとＢの２つの画像としている。
【００５７】
図８に示すように液晶プロジェクター７０２からは全面真白な表示を行わす。図８に示すような動作を行わすと、眼鏡７０７を掛けた人には、左回り円偏光を有したＡｎ  の画像が選択的に見える。また眼鏡７０８を掛けた人には、左回り円偏光を有したＢｎ  の画像が選択的に見える。
【００５８】
また全面白の表示はＡとＢの画像の偏光の旋回方向とは逆の右回りであるので、それぞれの眼鏡を掛けた人が認識する画像にはは何ら影響を与えない。
【００５９】
また眼鏡を掛けない人には、プロジェクター７０２から投影される全面白の画像によってプロジェクター７０１からの画像がマスクされてしまうので、全面白の表示が見えるだけとなる。
【００６０】
また、上記実施例では、液晶プロジェクター７０１からの投影画像の偏光方向を左回りにし、液晶プロジェクター７０２からの投影画像の偏光方向を右回りに設定したが、本発明はこれに限定されるものでなく、液晶プロジェクター７０１からの投影画像の偏光方向を右回りにし、液晶プロジェクター７０２からの投影画像の偏光方向を左回りに設定してもよい。
【００６１】
本実施例の構成を採用すると、特殊な眼鏡を掛けることによって、Ａという画像とＢという画像とをそれぞれ選択的に見ることができ、さらに特殊な眼鏡を掛けない人には特に画像が見えない構成とすることができる。また、本実施例によれば、πセルを省略することにより、明るさのロスを改善することができる。
【００６２】
〔実施例５〕
本実施例は、実施例３と同様に、特定の人に立体画像を観察させることができ、他の人には全面白表示の画面が見えるようにすることを特徴とする。
【００６３】
図９に本実施例の概略の構成を示す。図９に示す構成は、液晶プロジェクター９０１と９０２から投影される画像がスクリーン９１１で重ねられて表示され、その表示を普通に見た場合は白画面に見え、特殊な眼鏡を掛けて見た場合には立体画像が見える構成に関する。
【００６４】
図９において、液晶プロジェクター９０１からは図１０に示すような時分割された左目用の画像Ｌｎと右目用の画像Ｒｎとがスクリーン９１１に向けて投影される。この画像は、偏光板９０３と１／４波長板９０５を透過して、スクリーン９１１に投影される。
【００６５】
また偏光板９１２と１／４波長板９１４によって、液晶プロジェクター９０２から投影される画像に円偏光が付与される。
【００６６】
９０６は液晶プロジェクター９０１の画像表示動作に同期して眼鏡９００の液晶シャッター９０７と９０８を交互に開閉させるための制御装置である。またスクリーン９１１に液晶プロジェクター９０１、９０２の画像が重ねて投影される。
【００６７】
９０９と９１０は特定の円偏光状態を透過させる光学フィルターである。ここでは、９０９と９１０は外部からの光の左回り円偏光を選択的に透過させる機能を有している。
【００６８】
図１０にその動作タイミングチャートを示すように、眼鏡９００を掛けた人には、その左目にＬｎの画像が選択的に入り、その右目にＲｎの画像が選択的に入る。従って、眼鏡９００を掛けた人にはスクリーン９１１に立体画像が写っているように見える。
【００６９】
また、液晶プロジェクター９０２から投影される全面白の画像は、左目及び右目に到達する画像が有している円偏光の状態（左回り）とは旋回方向が逆の右回りなので、ほぼ完全にカッットされる。即ち、立体画像を見る人にとっては、全面白の画像の影響はほとんどないものとすることができる。
【００７０】
また普通の状態でスクリーン９１１を見る人には、真白な画面が見えるだけである。即ち、特定の人だけに立体画像をみさせることができる。また他の不特定多数の人には真白な特になにも表示されない画面が見えるだけとなる。
【００７１】
また、上記実施例では、液晶プロジェクター９０１からの投影画像の偏光方向を左回りにし、液晶プロジェクター９０２からの投影画像の偏光方向を右回りに設定したが、本発明はこれに限定されるものでなく、液晶プロジェクター９０１からの投影画像の偏光方向を右回りにし、液晶プロジェクター９０２からの投影画像の偏光方向を左回りに設定してもよい。
【００７２】
本実施例によれば、πセルを省略することにより、明るさのロスを改善することができる。
【００７３】
【発明の効果】
複数の画像を重ねて投影する構成において、一つの画像を全面白な画像とすることにより、普通に画面を見た状態においては、単に全面白な画面が表示されているだけのものとすることができる。また、特定の偏光状態を透過する光学フィルターを介してその画面を見ると、特定の画像情報を見ることができる。
【００７４】
このような構成は、公共施設等において不特定多数の人が見る表示画面に特定の人だけに情報を伝えたい場合等に利用することができる。
【００７５】
また、時分割表示を利用することによって、特定の人に立体画像を見せる構成とすることもできる。
【００７６】
【図面の簡単な説明】
【図１】特定の画像を選択的に見せることができる表示装置の構成を示す。
【図２】図１の装置を動作させる場合の動作タイミングを示す図。
【図３】特定の画像を選択的に見せることができる表示装置の構成を示す。
【図４】図３の装置を動作させる場合の動作タイミングを示す図。
【図５】特定の画像を選択的に見せることができる表示装置の構成を示す。
【図６】図５の装置を動作させる場合の動作タイミングを示す図。
【図７】特定の画像を選択的に見せることができる表示装置の構成を示す。
【図８】図７の装置を動作させる場合の動作タイミングを示す図。
【図９】特定の画像を選択的に見せることができる表示装置の構成を示す。
【図１０】図９の装置を動作させる場合の動作タイミングを示す図。
【符号の説明】
１０１、１０２            液晶プロジェクター
１０３、１０８            偏光板
１０４                    πセル
１０５、１０６            １／４波長板
１０７                    スクリーン
３０１、３０２            液晶プロジェクター
３０３、３１８            偏光板
３０４、３１９            πセル
３０５、３２０            １／４波長板
３１７                    スクリーン
３０６                    制御装置
３０７、３０８            眼鏡
３０９、３１１            液晶シャッター
３１３、３１５            液晶シャッター
３１０、３１２            所定特定の円偏光状態を透過する光学フィルター
３１４、３１６            所定特定の円偏光状態を透過する光学フィルター
３１７                    スクリーン
５０１、５０２            液晶プロジェクター
５０３、５１２            偏光板
５０４、５１３            πセル
５０５、５１４            １／４波長板
５１１                    スクリーン
５０６                    制御装置
５００                    眼鏡
５０７、５０８            液晶シャッター
５０９、５１０            所定特定の円偏光状態を透過する光学フィルター
【図１】
0003623580.tif 000002
【図２】
0003623580.tif 000003
【図３】
0003623580.tif 000004
【図４】
0003623580.tif 000005
【図５】
0003623580.tif 000006
【図６】
0003623580.tif 000007
【図７】
0003623580.tif 000008
【図８】
0003623580.tif 000009
【図９】
0003623580.tif 000010
【図１０】
0003623580.tif 000011